(57)【特許請求の範囲】
【請求項１】
強磁性体の板片又は強磁性体入りテープ片からなる磁石吸引片の一方の面に、粘着剤層と剥離材とが積層付与され、該剥離材を剥がして製品に貼着される粘着剤層付き磁石吸引片と、
一端側にマグネット体を配する一方、他端側に係止部を配して、両者を、密着巻きされた樹脂製引張コイルばねのばね部で形成された、屈曲自在の棒状頸部で連結してなるマグネット体付き係止部材と、を具備し、
製品に貼着された前記粘着剤付き磁石吸引片の該磁石吸引片に、被係止対象物に前記係止部を係止させた前記マグネット体付き係止部材の該マグネット体が、前記頸部の首を曲げさらに伸長して近づき吸着できるようにし、前記粘着剤層付き磁石吸引片及び前記マグネット体付き係止部材を介在させて、該被係止対象物に該製品を取付けることを特徴とする製品の取付け具。
【請求項２】
前記製品がサンシェードである請求項１記載の製品の取付け具。
【請求項３】
前記マグネット体の磁力吸着用頂面に端面を合わせ且つ該頂面周りの側壁を囲って環状部を形成し、さらに該側壁から該環状部の外周面までの環状幅が、前記磁石吸引片の厚みよりも大きくした請求項１又は２に記載の製品の取付け具。
【発明の詳細な説明】
【技術分野】
【０００１】
本発明は、サンシェード等の製品を車両フロントウインドなどの被係止対象物に取付けるのに用いられる製品の取付け具に関する。
【背景技術】
【０００２】
炎天下で直射日光に晒されると、ハンドルやシフトノブが触れられないほど熱くなる場合があり、サンシェードが有効活用されている。
そして、このサンシェードをフロントガラスに係止する取付け具が種々存在し、マグネットを用いた発明も提案されている（例えば、特許文献１）。
【先行技術文献】
【特許文献】
【０００３】
【特許文献１】特開２００７−４５３７９公報
【発明の開示】
【発明が解決しようとする課題】
【０００４】
しかるに、特許文献１は、その請求項２に記載のごとく「フロントガラス上部の左右２カ所に両面テープまたは吸着材を用いて基部を固定する。サンシェードの縁左右２ヶ所に金属の板を取り付ける。基部の背面には磁石が付いており、サンシェードを使用する際は基部背面の磁石にサンシェードに取り付けた金属板をくっつけることを特徴とするサンシェード保持具。」でしかない。サンシェードＰ１は折畳まれて折りぐせがついているのが通常である。ジグザグ状になったサンシェードＰ１の本体Ｐ１０を広げてこれに固着する金属板Ｎを、基部Ｋ上の磁石Ｚにくっつけようとすると、くっついても折りぐせの折り目Ｐ１９が残っているため、図６のごとく磁石Ｚの一部としかくっつかない。そのため、少しの外力が加わるとサンシェードＰ１が外れてしまう虞がある。
その一方で、面倒を我慢して助手席側に座り、サンシェードＰ１の金属板Ｎと磁石Ｚとの面同士を合わせきちんとくっつけると、今度はそのくっついた状態から外すのが困難になる。運転手が用事を済ませた後、車両に戻り、サンシェードＰ１を取り外そうとすると、金属板Ｎと磁石Ｚとが面同士で吸着接合していることから、磁力に抗して引き離すのに結構な力を要した。
【０００５】
本発明は、上記問題を解決するもので、サンシェードを含めた製品の取付けを確実にする一方、取り外す際は楽に手前に引き寄せるだけで外すことができる製品の取付け具を提供することを目的とする。
【課題を解決するための手段】
【０００６】
上記目的を達成すべく、請求項１に記載の発明の要旨は、強磁性体の板片又は強磁性体入りテープ片からなる磁石吸引片の一方の面に、粘着剤層と剥離材とが積層付与され、該剥離材を剥がして製品に貼着される粘着剤層付き磁石吸引片と、一端側にマグネット体を配する一方、他端側に係止部を配して、両者を、密着巻きされた樹脂製引張コイルばねのばね部で形成された、屈曲自在の棒状頸部で連結してなるマグネット体付き係止部材と、を具備し、製品に貼着された前記粘着剤付き磁石吸引片の該磁石吸引片に、被係止対象物に前記係止部を係止させた前記マグネット体付き係止部材の該マグネット体が、前記頸部の首を曲げさらに伸長して近づき吸着できるようにし、前記粘着剤層付き磁石吸引片及び前記マグネット体付き係止部材を介在させて、該被係止対象物に該製品を取付けることを特徴とする製品の取付け具にある。
請求項２の発明たる製品の取付け具は、請求項１で、製品がサンシェードであることを特徴とする。請求項３の発明たる製品の取付け具は、請求項１又は２で、マグネット体の磁力吸着用頂面に端面を合わせ且つ該頂面周りの側壁を囲って環状部を形成し、さらに該側壁から該環状部の外周面までの環状幅が、前記磁石吸引片の厚みよりも大きくしたことを特徴とする。
【発明の効果】
【０００７】
本発明の製品の取付け具は、マグネット体による磁力吸着による取付けが、該マグネット体を支える棒状頸部が首を曲げて被係止対象物へ近づくことができるので、製品に例えばサンシェードに用いた場合、運転席側からでも取付けがスムーズで、さらに環状部を設けることによって、取外しも円滑に行うことが可能になるなど優れた効果を発揮する。
【図面の簡単な説明】
【０００８】
【図１】実施形態１で、製品をサンシェードとし、被係止対象物をフロントウインドに適用した製品の取付け具の斜視図である。
【図２】図１を別角度からみた要部斜視図である。
【図３】(イ)が金属板片を磁石に近づけた説明断面図、(ロ)が(イ)の状態から頸部を曲げて磁石が近づく説明断面図、(ハ)が金属板片の板面に磁石が磁力吸着した説明断面図、(ニ)は剥離材を有する粘着剤層付き金属板片の側面図である。
【図４】（イ）が図３（ハ）の状態から金属板片を矢印方向に動かす説明断面図、（ロ）が（イ）の移動状態が進んだ説明断面図、（ハ）が（ロ）の移動状態が進んでマグネット体が傾いた説明断面図、（ニ）が（ハ）の要部拡大図である。
【図５】参考形態２で、（イ）が図３（イ）に対応する説明断面図で、（ロ）がマグネット体付き係止部材の説明断面図、（ハ）が粘着剤層付き磁石吸引片の説明断面図である。
【図６】従来技術の説明断面図である。
【発明を実施するための形態】
【０００９】
以下、本発明に係る製品の取付け具について詳述する。
（１）実施形態１
図１〜図４は本発明の製品の取付け具の一形態で、図１は製品をサンシェードとし、被係止対象物をフロントウインドに適用した本製品の取付け具の斜視図、図２は図１を別角度からみた要部斜視図、図３は製品を取付ける説明図で、(イ)が金属板片を磁石に近づけた場面の説明断面図、(ロ)が(イ)の状態から頸部を曲げて磁石が近づく説明断面図、(ハ)が金属板片の板面に磁石が磁力吸着した説明断面図、(ニ)は剥離材を有する粘着剤層付き金属板片の側面図、図４は製品を取外す説明図で、（イ）が図３（ハ）の状態から金属板片を矢印方向に移動させる説明断面図、（ロ）が（イ）の移動状態が進んだ説明断面図、（ハ）が（ロ）の移動状態が進んでマグネット体が傾いた説明断面図、（ニ）が（ハ）の要部拡大図を示す。尚、各図は図面を判り易くするため粘着剤層,剥離材等の各構成要素の厚みを強調して大きく描く。脱落防止具９は図１にのみ図示する。
【００１０】
製品の取付け具は、粘着剤層付き磁石吸引片Ａとマグネット体付き係止部材Ｂとを具備する。本実施形態はサンシェードＰ１たる製品ＰをフロントウインドＦ１たる被係止対象物Ｆへ取付ける製品の取付け具に適用する。
【００１１】
粘着剤層付き磁石吸引片Ａは、図３(ニ)のごとく磁石吸引片たる金属板片１と粘着剤層３と剥離材４とを備える。粘着剤層付き磁石吸引片Ａは、強磁性体の板片からなる磁石吸引片の一方の面に、粘着剤層３と剥離材４とが積層付与され、該剥離材４を剥がして製品Ｐに貼着される。「強磁性体の板片からなる磁石吸引片」に係る強磁性体とは鉄,ニッケル,コバルト及びその合金などのように磁石に強く引き付けられる物質をいう。本実施形態の粘着剤層付き磁石吸引片Ａに係る磁石吸引片は、鉄製の薄板を図１のごとく円形板片にカットした金属板片１を用いる。両面テープの一方の面を該金属板片１に貼着し、他方の面を製品ＰたるサンシェードＰ１に貼着して、粘着剤層付き磁石吸引片Ａが該サンシェードＰ１に一体化される。粘着剤層付き磁石吸引片Ａは金属板片１の一方の面全体に粘着剤層３が付与され、金属板片１と同じ大きさの剥離材４が該粘着剤層３を覆って積層付与されている。製品の取付け具として粘着剤層付き磁石吸引片Ａを機能発揮させる場合は、剥離材４を剥がして、製品Ｐに粘着剤層３側を対向させて粘着剤層付き磁石吸引片Ａを貼着する。本発明でいう剥離材４は剥離紙や剥離フィルムを指す。粘着剤層付き磁石吸引片Ａは、サンシェード本体Ｐ１０の折り目Ｐ１９以外の箇所に取付けられる。
尚、金属板片１は矩形でもよいが、図１のように円形状にすることによって角部がなくなるので、怪我防止につながりより好ましくなる。また金属板片１の厚みは環状部８(詳細後述)の環状幅８Ｗよりも薄くするのがより好ましい。粘着剤層付き磁石吸引片Ａからのマグネット体付き係止部材Ｂの取外しが容易になるからである(詳細後述)。
【００１２】
マグネット体付き係止部材Ｂは、マグネット体５と係止部６と棒状頸部７とを備える。一端側にマグネット体５を配する一方、他端側に係止部６を配して、両者が屈曲自在の棒状頸部７で連結一体化されたマグネット体付き係止部材Ｂになっている。
【００１３】
マグネット体５は永久磁石で、ここでは外観形状を円柱状とする。マグネット体５を構成する磁石は固体磁石(又は可撓性磁石)で、磁石は磁力が強力なＮｄ,Ｓｍ等のレアアースを含む希土類磁石や希土類鉄磁石が好ましく、本実施形態もこれらの固体磁石を採用する。
【００１４】
係止部６は製品Ｐを取付ける被係止対象物ＦたるフロントウインドＦ１に係止固定するための部材である。本実施形態の係止部６は図１のような透明の吸盤６ａとする。この吸盤６ａを被係止対象物Ｆたる車両フロントウインドＦ１に係止させたときに、該吸盤６ａは平盤状になるようにしている(図２,図３)。屋外に置かれた車両にあって、吸盤６ａを通過する太陽光が焦点をつくらないようにするためである。符号Ｃは吸盤６ａを係止させた状態でできるキャビティを示す。尚、吸盤６ａをフロントウインドＦ１に係止させた実際のキャビティＣは、図示したものよりも小さい。吸盤６ａは透明にすることによって、車両のフロントウインドＦ１に取付けても、運転手の視覚を遮ることがないので運転の支障にならない。
【００１５】
頸部７はマグネット体５と係止部６とを連結する屈曲自在の棒状部材で、本実施形態の頸部７は、図１〜図４に示すような密着巻きされた樹脂製引張コイルばねのばね部７ａで形成されている。コイル状のばね部７ａは、初張力を有効利用して占有スペースを小さくするため、密着巻きとする。ばね部７ａは、その基端部分が係止部６たる前記吸盤６ａの外面中央に接着固定して起立する。そして、ばね部７ａの先端部分にマグネット体５が挿入する形で接着固定されている。コイル状ばね部７ａに係る先端部分の螺旋状中空部分にマグネット体５が挿着固定される格好である。先端部分の先端面８０とマグネット体５の頂面５０を合わせ、両者を略面一とする。
屈曲自在のこのコイル状ばね部７ａの頸部７を有することから、フロントウインドＦ１に吸盤６ａを係止させたマグネット体付き係止部材Ｂは、サンシェードＰ１に貼着された粘着剤層付き磁石吸引片Ａの金属板片１に、マグネット体５が頸部７の首を曲げて近づき、さらに磁力吸引で吸着できる。
【００１６】
詳しくは、助手席側フロントウインドＦ１の上部に係止固定した図１のマグネット体付き係止部材Ｂの場合、助手席側乗員がサンシェードＰ１に貼着した金属板片１を同図矢印のように両者を接合できればよいが、助手席側乗員がいない場合は、運転手が行うことになる。斯かるケースでは、運転席側から運転手がサンシェードＰ１を広げ、その基端部側を手に持って、サンシェード先端部に係止させた金属板片１が図３（イ）のようにマグネット体付き係止部材Ｂのマグネット体５に近づくような作業をする。
ここで、従来はサンシェードＰ１が折畳まれて折り目Ｐ１９の折りぐせがついていることもあって、金属板片１の板面とマグネット体５の頂面５０が平行に向かい合って接合することは難しく、マグネット体５に金属板片１がくっついても図６のように一部しかくっつかないケースが往々にしてあった。
しかるに、本製品の取付け具に係るマグネット体付き係止部材Ｂは、屈曲自在の頸部７を有して、マグネット体５の磁石吸引力が働く。したがって、マグネット体付き係止部材Ｂのマグネット体５に近づくと、該マグネット体付き係止部材Ｂの頭部が図２,図３（イ）の矢印方向に動く。マグネット体５の磁力吸着用頂面５０と金属板片１の板面とが対向するように、頸部７が首を曲げる(図３のロ）。加えて、磁力吸引で金属板片１及びサンシェードＰ１を引き寄せたり、マグネット体５自らもばね部７ａが密着巻き状態から伸びて金属板片１に近づこうとしたりする。そうして、マグネット体５は磁力吸引で金属板片１と面同士の吸着に至る。向かい合ったマグネット体５の頂面５０と金属板片１の板面が磁力吸着で接合一体化する（図３のハ）。かくのごとく、屈曲自在の頸部７の存在で、マグネット体５の面と金属板片１の面との磁力吸着が円滑に進み、被係止対象物ＦたるフロントウインドＦ１に製品ＰたるサンシェードＰ１が強固且つ確実に取付けられるようになる。粘着剤層付き磁石吸引片Ａ及びマグネット体付き係止部材Ｂを介在させて、被係止対象物Ｆに製品Ｐを簡便に取付けることができる。
【００１７】
本実施形態の製品の取付け具は、さらに環状部８を具備する。マグネット体５の磁力吸着用頂面５０に環状部８の端面８０を合わせ且つ該頂面５０周りの側壁５１を囲う環状部８が形成される。該側壁５１から環状部８の外周面８１までの環状幅８Ｗが、前記磁石吸引片たる金属板片１の厚みｔよりも大きく設定される(図４）。
ここでの環状部８はコイルばねによる内側環状部８ａと樹脂製外側環状部８ｂとを備える。既述のごとく、ばね部７ａの先端部分にマグネット体５が挿入する形で接着固定される構成であり、該先端部分が内側環状部８ａを形成し、該先端部分の側周面を樹脂製外側環状部８ｂが取り囲んで固着する。尚、マグネット体５が棒状頸部７に挿入固着し且つ樹脂製環状部８が固着するばね部７ａの先端部分だけは、他のばね部７ａ主要部分と違って固定されており、弾性変形で曲がったり伸縮したりしない。
【００１８】
環状部８が形成されることによって、図３(ハ)のフロントウインドＦ１へのサンシェードＰ１たる製品Ｐの取付け状態からの取外しが容易になる。図４(イ)で、運転席側からサンシェードＰ１の運転席側に在る端を手に持って、運転手が同図矢印方向の手前に引き寄せると、マグネット体５の頂面５０に対しサンシェードＰ１を平行にずらす格好となり、簡単にずれる。マグネット体頂面５０に対し垂直方向に引き剥がすのではなく、頂面５０と金属板片１の板面との密着面をずらす動作なので、磁石の特性からさほど力を要しない。そのまま手前に引き寄せていくと、マグネット体５がずれて、金属板片１の端まで移動する(図４のロ)。さらに引き寄せると、同図（ハ）のごとく、マグネット体５が金属板片１との吸着を保とうとする。頸部７の首を曲げ、さらに弾性変形させて対応してきた頸部７の上方側に在る頭部分に相当する環状部８が傾く。と同時に、側壁５１から環状部８の外周面８１までの環状幅８Ｗが、前記磁石吸引片たる金属板片１の厚みｔ(厳密にはさらに粘着剤層３の厚みが加わる)よりも大きく設定されているので、マグネット体５と金属板片１との直接接触が途絶える（図４のニ）。これにより、金属板片１へのマグネット体５の磁力吸引力が急激に低下する。マグネット体５が付いたフロントウインドＦ１から、金属板片１付きサンシェードＰ１を楽に取り外すことができる。環状部８を設けることで、運転席側から乗員が座ったまま、サンシェードＰ１を引き寄せる簡単な動作で取り外せるようになる。
【００１９】
本製品の取付け具にはさらに脱落防止具９が吸盤６ａに取付けられている。図１のごとく、脱落防止具９は紐部９０の基端部分を吸盤６ａの外面に固着し、先端部分側が接続部９１を介して密着巻きの樹脂製引張コイルばねのばね部９２につながる。そして、該ばね部９２が接続部９３、リング環９４を介して図示ごとくの挟着形クリップ９５につながっている。クリップ９５をサンバイザーに挟着係止させると、万一、吸盤６ａがフロントウインドＦ１から外れることがあっても、脱落せずにサンバイザーに保持される。
図中、符号Ｐ１１はサンシェードＰ１の縁取り、符号Ｐ１２は折畳まれたサンシェードＰ１を保持するゴム環、符号Ｄはボディパネル、符号Ｍはフロントウインドモールを示す。
【００２０】
（２）参考形態２
本参考形態は図５ごとくの製品の取付け具で、図５（イ）が図３（イ）に対応する説明断面図で、（ロ）がマグネット体付き係止部材の説明断面図、（ハ）が粘着剤層付き磁石吸引片の説明断面図である。
本参考形態製品の取付け具は、粘着剤層付き磁石吸引片Ａの磁石吸引片を強磁性体入りテープ片２とする。具体的には、鉄粉配合樹脂(又は鉄粉配合ゴム)で成形したフェライトテープ片２の一方の面に、粘着剤層３と剥離材４とが積層付与される。粘着剤層３と剥離材４とが積層された複合フェライトテープ片２から剥離材４を剥がし、該粘着剤層３を製品Ｐに対向,貼着して製品側取付け具として使用される（図５のハ）。剥離材４を剥がして、製品Ｐの面に貼着一体化できるようにした粘着剤層３付きフェライトテープ片２とすると、金属板片１に比べて軽量且つ使い勝手に優れ、サンシェードＰ１への粘着剤層付き磁石吸引片Ａの一体化作業が楽になりより好ましくなる。鉄粉とは鉄粉末又は鉄化合物の粉末である。尚、参考形態２には脱落防止具９はない。
【００２１】
また、マグネット体付き係止部材Ｂに係る頸部７を、図５(イ)ごとくの中実用ゴム製(又は熱可塑性エラストマー)棒状体で形成する。頸部７の先端面中央には凹所が形成され、該凹所に、円柱状マグネット体５をその頂部が露出するようにして挿着固定される。そして、マグネット体５に係る該頂部の円柱側壁５１を環状部８が囲う。ここでは、実施形態１に見られるコイルばねによる内側環状部８ａはない。ただ、実施形態１と同様、マグネット体５の頂面５０に端面８０を合わせ且つ該頂面５０周りの側壁５１を囲った樹脂製環状部８が形成される。さらに側壁５１から該環状部８の外周面８１までの環状幅８Ｗが、磁石吸引片たる強磁性体入りテープ片２の厚みよりも大きく設定される。
【００２２】
また、マグネット体付き係止部材Ｂに係る係止部６を、実施形態１の吸盤６ａに代えて、図５(ロ)のような粘着剤層付き板片６ｂとする。粘着剤層付き板片６ｂに係る板片６１はゴム製(又は樹脂製)とし、頸部７と一体成形で造られる。円形板片６１の略中央に前記頸部７が起立するようにして一体成形される。頸部７と反対側のゴム製板片６１の板面には、粘着剤層付き磁石吸引片Ａと同じく、粘着剤層６３と剥離材６４とが積層付与される。該剥離材６４を剥がして(図５のロ)、粘着剤層６３付き板片６１(粘着剤層付き板片６ｂ)が被係止対象物ＦたるフロントウインドＦ１に係止固定される。
【００２３】
そうして、製品Ｐに貼着された粘着剤層付き磁石吸引片Ａの該磁石吸引片(粘着剤層３付きフェライトテープ片２)に、被係止対象物Ｆに係止部６を係止させたマグネット体付き係止部材Ｂの該マグネット体５が、頸部７の首を曲げて近づき吸着できるようにして、該被係止対象物Ｆに、本製品の取付け具を介して該製品Ｐを取付けることができるようになっている。
他の構成は実施形態１と同様で、詳細説明を省く。実施形態１と同一符号は同一又は相当部分を示す。
【００２４】
（３）効果
このように構成した製品の取付け具は、製品Ｐに貼着された粘着剤層付き磁石吸引片Ａの該磁石吸引片(金属板片１又は強磁性体入りテープ片２)に、被係止対象物Ｆに係止部６を係止させたマグネット体付き係止部材Ｂの該マグネット体５が頸部７の首を曲げて近づき吸着できるようにする。すると、被係止対象物Ｆへの該製品Ｐの取付けで、磁石吸引片の面とマグネット体５の頂面５０との向かい合わせが容易になるので、面全体で吸着接合できる。マグネット体５は、頸部７を設けることによって、金属板片１が近づけばこの方向に向き、該金属板片１を引き付ける。引き付けられた金属板片１の板面は、マグネット頂面５０と平行に密着するため、磁力を100％利用できる。助手席側の吸盤６ａが在る位置まで手が届かなくても、金属板片１が付いたサンシェード本体Ｐ１０をその近くへもっていけば磁力吸着するので、サンシェードＰ１のフロントウインドＦ１への取付けが簡単になる。頸部７は、マグネット体５の吸着時に、金属板片１とマグネット体１の頂面５０とが平行になって接合するようガイドし、両者が最も接合力を発揮する面同士の接合状態を作り出す。磁石の力は接触面に磁力線という引合う力が働くので、接触面が頂面５０の面全体に広がることから、被係止対象物Ｆ(例えばフロントウインドＦ１)への製品Ｐ(サンシェードＰ１)の取付けを確実にして且つ強固にすることができる。
マグネット体５の吸着頂面５０に端面８０を合わせ且つ該吸着頂面５０周りの側壁５１を囲って環状部８を形成すると、頂面５０の面全てが露出するので、該頂面５０と垂直方向へ引き剥がすに必要な吸着力が大きくなって、被係止対象物Ｆへの製品Ｐの取付けが確実になる。
【００２５】
一方、磁石吸引片の面とマグネット体５の頂面５０とが面全体で吸着接合状態にある被係止対象物Ｆ(例えばフロントウインドＦ１)から製品Ｐ(サンシェードＰ１)を取外す場合は、磁力吸着であるので、運転席側から運転手が製品Ｐ(サンシェードＰ１)を、接触面に沿って滑らせるように引っ張ることによって製品Ｐを手元に楽に引き寄せることができる。ここで、金属板片１の面積を限定できるので、サンシェード本体Ｐ１０を上下左右のいずれかの方向に移動させることによって簡単に磁力吸着を解除できる。磁力吸着性能はマグネット体５の容積と金属板片１の容積との組合せで変化するので、経済的な製品の取付け具を製造できる。
さらに手元に引き寄せると、図４(ロ)のごとく金属板片１(又は強磁性体入りテープ片２)の端まで移動した後、頸部７の首が曲がることによって図４(ハ)のように環状部８が傾く。と同時に、マグネット体５の側壁５１から環状部８の外周面８１までの環状幅８Ｗが、金属板片１(磁石吸引片)の厚みｔよりも大きく設定してあるので、マグネット体５が金属板片１から離れ、これにより、金属板片１へのマグネット体５の磁力吸引力が急激に弱まる。サンシェードＰ１に接する環状部外周面８１の一部分が支点となる環状部８の傾倒により、マグネット体５からの金属板片１(金属板片１付きサンシェードＰ１)の離脱動作を容易にする。磁力吸引力の抵抗を殆ど受けずして、マグネット体５が付いたフロントウインドＦ１から、金属板片１付きサンシェードＰ１を難なく取り外すことができる。
【００２６】
強磁性体の金属板片１又は強磁性体入りテープ片２からなる磁石吸引片の一方の面に、粘着剤層３と剥離材４とが積層付与された粘着剤層付き磁石吸引片Ａであると、剥離材４を剥がして簡単に製品Ｐに取付けることができる。また、マグネット体付き係止部材Ｂは係止部６を利用して被係止対象物Ｆに簡便に係止固定できる。尚、実施形態はフロントウインドＦ１にマグネット体付き係止部材Ｂが係止固定されることから、乗員が携帯するモバイルやケータイ等の電子機器から遠く離れる結果となり、マグネット体５による磁場影響はない。
【００２７】
また、磁石吸引片たる金属板片１が強磁性体の円形板片からなると、矩形と違って角部がないので、安全性向上につながる。
また、係止部６が透明の吸盤６ａで形成されると、被係止対象物ＦたるフロントウインドＦ１に吸盤６ａが取付けられても、透明体であることから運転の支障とならない。そして、該吸盤６ａをフロントウインドＦ１に係止させた時に、該吸盤６ａが平盤状になると、太陽光によって吸盤６ａが焦点をつくらないので、火災等の原因を引き起こすこともない。
【００２８】
また、頸部７が密着巻きされた樹脂製引張コイルばねのばね部７ａで形成されると、被係止対象物Ｆに係止部６を係止させたマグネット体付き係止部材Ｂの該マグネット体５は、ばね部７ａの有する弾性変形によって、頸部７の首を曲げさらに伸長して金属板片１(又は強磁性体入りテープ片２)に容易に近づき、金属板片１の板面と面同士の吸着がスムーズに進む。
また、被係止対象物ＦがフロントウインドＦ１で、製品ＰがサンシェードＰ１であると、運転席側からの苦労した従来のセット作業に比べ、手間取ることなく格段にたやすく且つ確実に取付けセットできる。
このように本製品の取付け具は、上述した数々の優れた効果を発揮し、極めて有益である。
【００２９】
尚、本発明においては前記実施形態に示すものに限られず、目的,用途に応じて本発明の範囲で種々変更できる。粘着剤層付き磁石吸引片Ａ,金属板片１,強磁性体入りテープ片２,粘着剤層３,マグネット体付き係止部材Ｂ,マグネット体５,係止部６,頸部７,環状部８,製品Ｐ,被係止対象物Ｆ等の形状,大きさ,個数,材料,材質等は用途に合わせて適宜選択できる。実施形態は、製品ＰをサンシェードＰ１とし、被係止対象物ＦをフロントウインドＦ１として説明したが、これに限定されない。例えば、強磁性体でない部屋の壁などの被係止対象物Ｆにマグネット体付き係止部材Ｂを係止する一方、該壁に取付けたいスケジュール管理板等の製品Ｐに粘着剤層付き磁石吸引片Ａを貼着して、本製品の取付け具を活用できる。
【符号の説明】
【００３０】
Ａ        吸着剤層付き磁石吸引片
１        金属板片（強磁性体の板片）
２        強磁性体入りテープ片
３        粘着剤層入りテープ片
４        剥離材
Ｂ        マグネット体付き係止部材
５        マグネット体
５０      頂面（吸着頂面）
５１      側壁
６        係止部
６ａ      吸盤
７        頸部
７ａ      ばね部
８        環状部
８０      端面
８１      側面
８Ｗ      環状幅
Ｆ        被係止対象物
Ｐ        製品
Ｐ１      サンシェード
【図１】
0006283780.tif 000002
【図２】
0006283780.tif 000003
【図３】
0006283780.tif 000004
【図４】
0006283780.tif 000005
【図５】
0006283780.tif 000006
【図６】
0006283780.tif 000007